(57)【要約】【課題】水霧式ファンを提供する。【解決手段】本考案の提供する水霧式ファンは、殻体、ファン、水霧発生装置および給水設備を含み、特に、前記水霧発生装置に震動加湿器または電熱式加湿器を利用することにより水霧を発生させ、水霧導管によりその発生する水霧を導引し殻体上の水霧ノズルの噴出口に伝送し、前記噴出口がファンに向かって風を出すことにより、ファンが噴出す風力が噴出口が噴出す水霧を吹き散らすことができるようにし、このように更に微細な水分子拡散作用を発生し室内の物品を湿らせる心配がなく、室内等で使用することができ、室内環境温度を低下する目的を達成する。【選択図】図３
0003129024.tif 000002
【実用新案登録請求の範囲】
【請求項１】
殻体、ファン、水霧発生装置、給水設備を含み、
前記殻体は、底台、および底台上に設置されるファンマスクを含み、
前記ファンは、前記ファンマスク内に組み込み、
前記水霧発生装置は、前記底台内に設置し、
前記給水設備は、前記殻体上に組み込み、前記水霧発生装置に対して必要な水を提供することに用い、
前記水霧発生装置は水霧導管より前記殻体上に位置する水霧ノズルに連接し、前記水霧ノズルは前記水霧導管と連通する噴出口を有し、前記噴出口は前記殻体外に向いてなる水霧式ファン。
【請求項２】
前記底台後部は凹入空間を設け、前記給水設備は水箱であり、前記水箱を前記凹入空間に実装させることを特徴とする請求項１記載の水霧式ファン。
【請求項３】
前記底台下方には、複数のローラーを設けてなることを特徴とする請求項１記載の水霧式ファン。
【請求項４】
前記ファンマスクは、前記底台上にピン接合してなることを特徴とする請求項１記載の水霧式ファン。
【請求項５】
前記水霧発生装置は、水霧発生器、および前記水霧発生器に対応してマスクするファンマスクを含み、前記ファンマスク内にはファンを設けてなることを特徴とする請求項１記載の水霧式ファン。
【請求項６】
前記水霧発生器は振動加湿器であることを特徴とする請求項５記載の水霧式ファン。
【請求項７】
前記水霧発生器は電熱式加湿器であることを特徴とする請求項５記載の水霧式ファン。
【請求項８】
前記給水設備は更に、前記底台内に設けられる水槽を含み、水霧発生器が前記水槽中に設けられ、前記給水設備が提供する水を前記水槽に流入させることを特徴とする請求項５記載の水霧式ファン。
【請求項９】
前記給水設備は前記底台内の水槽であることを特徴とする請求項１記載の水霧式ファン。
【請求項１０】
前記給水設備は、水箱であることを特徴とする請求項１記載の水霧式ファン。
【請求項１１】
前記給水設備は更に、前記底台内に設けられる水槽を含むことを特徴とする請求項１０記載の水霧式ファン。
【請求項１２】
前記水霧ノズルは、複数増設してなることを特徴とする請求項１記載の水霧式ファン。
【請求項１３】
前記水霧ノズルの噴出口の末端は、分岐管と連通することを特徴とする請求項１記載の水霧式ファン。
【請求項１４】
前記水霧ノズルは、前記底台前側に設けられることを特徴とする請求項１記載の水霧式ファン。
【請求項１５】
前記水霧ノズルは、更に伸縮式であることを特徴とする請求項１４記載の水霧式ファン。
【請求項１６】
前記水霧ノズルは、前記底台前側にピン接合され、前記底台前側が前記水霧ノズルに対応する箇所には収容槽を凹設し、前記水霧ノズルをその中へ収容させることを特徴とする請求項１記載の水霧式ファン。
【請求項１７】
前記水霧ノズルは、前記ファンマスク上に設けられることを特徴とする請求項１記載の水霧式ファン。
【請求項１８】
前記水霧ノズルは、更に、複数増設してなり、前記ファンマスク周縁に分布することを特徴とする請求項１７記載の水霧式ファン。
【考案の詳細な説明】
【技術分野】
【０００１】
本考案は、水霧式ファンに関し、特に、室内等の比較的加湿または除湿を考慮する必要がある場合に適用し、環境温度を低下させることに用いる水霧式ファンに関する。
【背景技術】
【０００２】
以前の高圧を利用し水霧を発生する水霧ファンは、水霧ノズルをファンの排気面前方に設置し、高圧により水を水霧ノズルから噴出させて水霧を発生した後、ファンが噴き出す風力により水霧を吹き散らすことができる。水霧がファンにより吹き散らされ空気と接触し空気と接触し熱を吸う関係により、効果的に付近の環境温度を低下させることができ、人に涼しいと感じさせる。但し、この種の水霧ファンは、高圧を利用し水を噴出した後に水霧を発生するので、水霧の顆粒が大きく、直接噴出した後、付近の環境が湿り、一般に室外にだけの使用に適している。
【考案の開示】
【考案が解決しようとする課題】
【０００３】
本考案の主要な目的は、振動加湿器または電熱式加湿器を利用することにより水霧を発生させ、発生する水分子が更に微細であることにより、空気と接触した時、すぐに蒸発し空気中に混入せず、室内の物品を湿らせる心配がなく、室内等の比較的加湿または除湿を考慮する必要がある場合に適用し、室内環境温度の低下を達成する水霧式ファンを提供することにある。
【課題を解決するための手段】
【０００４】
上記の目的を達成する為、本考案が提供する水霧式ファンは、底台、および前記底台上に設置されるファンマスクを含む殻体と、前記ファンマスク内に組み込まれるファンと、前記底台内に設置され、水霧導管と連接する水霧発生装置と、前記殻体上に組み込まれ、前記水霧発生装置に対して必要な水を提供することに用いる給水設備とを含み、そのうち、前記水霧導管は、殻体上に位置する水霧ノズルに連接し、前記水霧ノズルは水霧導管と連通する噴出口を有し、前記噴出口は前記殻体の外に向かってなる。このように、噴出口をファンの排気面に向け、ファンが排気する風力が噴出口の噴出した水霧を吹き散らし、上記の目的を達成する。
【考案の効果】
【０００５】
本考案が提供する水霧式ファンは、振動加湿器または電熱式加湿器を利用することにより水霧を発生させ、発生する水分子が更に微細であることにより、空気と接触した時、すぐに蒸発し空気中に混入せず、室内の物品を湿らせる心配がなく、室内等の比較的加湿または除湿を考慮する必要がある場合に適用し、室内環境温度の低下を達成する。
【考案を実施するための最良の形態】
【０００６】
図１、図２は、それぞれ本考案の第１実施例の立体外観図およびその内部構造の断面図である。本考案が提供する水霧式ファンは、殻体１、ファン２、水霧発生装置３または給水設備４等の構成部材を含む。前記殻体１は底台１０、前記底台１０上にピン接合されるファンマスク１１を含み、底台１０は水霧発生装置３をその内に配置させることができ、ファンマスク１１はファン２をその中に組み込ませ、給水設備４は底台１０内外のいずれに設置することもでき、本考案が挙げる実施例中、前記底台１０の後ろ側に給水箱を実装する凹入空間１００を設け、給水設備４を底台１０外部に組み込ませる。このほか、前記底台１０の下方に更に複数のローラー１０１を設置し、屋内での使用に適するようにその移動機能を提供する。
【０００７】
前記ファン２は、上記殻体１のファンマスク１１内に組み込まれ、前記ファンマスク１１の前後にそれぞれ排気面１１０および吸気面１１１を有し、その内に設けられるファン２が気流を連動し流動させ、前記ファンマスク１１を介して風力を発生させ、前記ファンマスク１１は底台１０上にピン接合されることにより、ファン２の仰角を調整し（図４参照）、前記ファン２を吹かせたい領域に向けて風力を伝送させる。
【０００８】
前記水霧発生装置３は上記給水箱当の給水設備４内の水を用い、振動または電熱加湿等の方式により水霧化させ、前記水霧発生装置３は、水霧発生器３０を有し、前記水霧発生器３０は振動加湿器または電熱式加湿器であることができる。前記の給水設備が水槽であるかまたは、更に前記水槽１０２を含み、前記水槽は、底台１０内に設置され、水霧発生器３０は前記水槽１０２柱に設置され、また給水設備４の排水口４０は下向きに設置され、水槽１０２の突起部１０３上を支持し、給水設備４内の水が前記水槽１０２中に流入し、適量を蓄積できるようにし、水霧発生器３０が水槽１０２内の水を霧化し、前記水霧発生器３０が対応する箇所にファンマスク３１０を設け、前記ファンマスク３１０内に水霧を伝送することに用いるファンを設けてなる。前記ファンマスク３１０は水霧導管３１１を連接し、前記ファンマスク３１０は水霧を前記水霧導管３１１から伝送して出すことできる。前記水霧導管３１は、底台１０の前方外部へ延伸し、さらに、底台１０の前側の水霧ノズル３２に連接し、前記水霧ノズルはファン２の仰角に合わせて対応した上下に回転し、ファン２の排気面１１０に沿って水霧を噴出し、前記水霧ノズル３２内は中空の噴出口３２０および水霧導管３１１の連通を形成し、噴出口３２０は底台１０の外部に向き、底台１０前側の前記水霧ノズル３２に対応する箇所は収容槽を凹設し、水霧ノズル３２を使用しない時にその中に収容させてなる。
【０００９】
これに基づいて、図３、図４に示されるように、本考案は水霧ノズル３２により水霧をその噴出口３２０から噴出した後、底台１０上部のファン２が噴出す風力により、水霧を吹きたい領域に伝送し、空気温度を低下する目的を達成する。同時に、本考案は、その発生する水分子が更に微罪であり、空気と接触した後、すぐに蒸発し、空気中に混入し室内を湿らせることがない物品であり、室内に適用することができる。
【００１０】
この他、図５、図６は、本考案の第２実施例および第３実施例の断面図であり、特に、水霧ノズル３２を底台１０上に実装する各種異なる実施形態である。図５に示されるように、前記水霧ノズル３２は伸縮式にてなることもでき、底台１０内に収容でき、使用時前記水霧ノズル３２を引き出すことができる、また、図６に示されるように、前記水霧ノズル３２は底台１０の前方上部に固定し収容しないこともできる。
【００１１】
また、図７に示されるように、前記水霧ノズル３２はファン２の排気面１１０の大きさにより複数個を増設でき、複数の水霧ノズル３２により染む噴出量を増加する、また、図８に示されるように、水霧ノズル３２の噴出口３２０の末端を分岐管３２１と連通させ、水霧を前記分岐管３２１により拡散噴出させる、また、図９に示されるように、水霧ノズル３２は直接前記殻体１のファンマスク１１上に設置することもでき、ファンマスクの周縁に複数分布させることができる。図９に示す実施例中、好適な方式は、前記ファンマスク１１が製造成型される時、水霧ノズル３２をファンマスク１１上に一体に成型する。
上記の構造が組成することにより、本考案の水霧式ファンを得ることができる。
【００１２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１３】
【図１】本考案の第１実施例の立体外観図である。
【図２】本考案の第１実施例の内部構造の断面図である。
【図３】本考案の第１実施例の使用状態説明図である。
【図４】本考案の第１実施例のファンの仰角調整の使用状態説明図である。
【図５】本考案の第２実施例の断面図である。
【図６】本考案の第３実施例の断面図である。
【図７】本考案の第４実施例の立体外観図である。
【図８】本考案の第５実施例の立体外観図である。
【図９】本考案の第６実施例の立体外観図である。
【符号の説明】
【００１４】
１ 殻体
１０ 底台
１００ 凹入空間
１０１ ローラー
１０２ 水槽
１０３ 突起部
１０４ 収容槽
１１ ファンマスク
１１０ 排気面
１１１ 吸気面
２ ファン
３ 水霧発生装置
３０ 水霧発生器
３１ ファン
３１０ ファンマスク
３１１ 水霧導管
３２ 水霧ノズル
３２０ 噴出口
４ 給水設備
【図１】
0003129024.tif 000003
【図２】
0003129024.tif 000004
【図３】
0003129024.tif 000005
【図４】
0003129024.tif 000006
【図５】
0003129024.tif 000007
【図６】
0003129024.tif 000008
【図７】
0003129024.tif 000009
【図８】
0003129024.tif 000010
【図９】
0003129024.tif 000011